(57)【要約】【課題】前面扉と遊技機の本体部材との隙間を利用した不正行為を防止し、且つ抑止する遊技機を提供する。【解決手段】隙間２８からピアノ線３７が挿入され、そのピアノ線３７が可動部材３１の端片３１ｃに当接し、端片３１ｃが押圧されると、可動部材３１はコイルスプリング３２の付勢に抗して図中における時計回り（Ａ方向）に回転される。この回転により、可動部材３１のもう一方の端片３１ｄの先端は圧電板３３に当接し、圧電板３３は押圧される。押圧された圧電板３３は歪みを生じ、電荷を発生する。電気容量検出部３４は、圧電板３３から所定量以上の電荷を検出し、電荷検出信号を発する。制御回路３５は、電荷検出信号を受信して、スピーカ５１から警告音を発させたり、ランプ５２を点灯或いは点滅させたりする。【選択図】図５
2008000308.tif 000002
【特許請求の範囲】
【請求項１】
遊技盤が組み付けられた遊技機本体と、この遊技機本体の前方に配置された前面扉とを有し、この前面扉が前記遊技機本体の前面を露呈する開き状態と、前記遊技機本体の前面に位置する閉じ状態との間で回動自在であり、前記閉じ状態にある前記前面扉と前記遊技機本体との間にはそれらの外側に露出する隙間が形成され、その隙間が前記遊技機本体の内部へと連通している遊技機において、
前記前面扉の背面又は前記遊技機本体の前面であって、且つ前記隙間に沿って軸着され、前記隙間を閉じる位置を初期位置とする遮蔽部を含む可動部材と、
前記遮蔽部が前記初期位置となるように前記可動部材を保持する付勢部材と、
前記遮蔽部が前記付勢部材の付勢に抗して回転したときに、前記可動部材の回転を検出する回転検出手段と、
この回転検出手段によって前記可動部材の回転が検出されたときに、所定のエラー処理を行うエラー処理手段と、を備えたことを特徴とする遊技機。
【請求項２】
前記回転検出手段は、加圧されることで電荷を発生する圧電変換部を備えて構成され、
前記回転検出手段は、回転する前記可動部材によって前記圧電変換部が押圧されることで生じる電荷を利用して、前記可動部材が回転したか否かを検出することを特徴とする請求項１記載の遊技機。
【請求項３】
前記前面扉が前記閉じ状態、及び前記開き状態の少なくとも一方を検知する開閉検知手段と、
この開閉検知手段からの検知信号を受けて、前記前面扉の状態を判定する状態判定手段と、
この状態判定手段によって前記前面扉が前記開き状態であると判定された場合に、前記回転検出手段による前記可動部材の回転検出を無効にする無効手段と、を備えていることを特徴とする請求項１又は請求項２記載の遊技機。
【発明の詳細な説明】
【技術分野】
【０００１】
本発明は、パチンコ店等の遊技場に設置して使用されるパチンコ機等の遊技機に関し、さらに詳しくは、遊技機本体と前面扉との隙間を利用した不正行為を防止し、且つ抑止する遊技機に関する。
【背景技術】
【０００２】
パチンコ店などの遊技場に設置される遊技機の一つにパチンコ機が挙げられる。このパチンコ機は、遊技媒体としてパチンコ球を用いて遊技（ゲーム）が行われるものである。このパチンコ球は、一定の価値が付加されているので、遊技者は、より多くのパチンコ球を獲得することを目的として遊技を行うことになる。
【０００３】
例えば、パチンコ機の遊技が実行されると、遊技領域の上方に向けてパチンコ球が打ち出された後、打ち出されたパチンコ球が遊技領域内を流下する。パチンコ球が遊技領域内を流下する過程で、パチンコ球は遊技領域内に設けられた障害釘や風車、或いはセンター役物と呼ばれる構造物に弾かれながら、その流下方向が変化されることになる。このように、流下方向を変化させながら流下するパチンコ球は、入賞チャッカ、始動チャッカに入賞することになる。この入賞を受けて、入賞に対する賞球としてのパチンコ球が払い出される。
【０００４】
なお、始動チャッカに入賞した場合には、賞球の払出しの他、通常の遊技が行われる通常状態から、「大当たり」状態と呼ばれる、遊技者に有利になる遊技状態に移行するか否かの抽選が行われる。この抽選の結果は、センター役物の中央に露呈される液晶パネルにおいて行われる。例えば、抽選で当たりとなる場合には、「７−７−７」など、同一の図柄が表示された後、遊技状態が通常状態から、「大当たり」状態へと移行する。この「大当たり」状態では、アタッカと呼ばれる可動入賞装置の可動板が開放され、遊技領域を流下するパチンコ球をアタッカ内部の大入賞口に入賞させ易くなる。このアタッカの可動板は、所定時間経過後、或いは所定数のパチンコ球が入賞すると一端閉じるが、その開放時に所定数のパチンコ球を入賞させている場合には、再度開くことになる。このアタッカの可動板の開閉動作は、複数回行われ、また、大入賞口に入賞したときに払い出される賞球数は、入賞チャッカ、及び始動チャッカに入賞したときに比べて多いことから、「大当たり」状態に移行した場合には、数多くのパチンコ球を賞球として獲得することができる。
【０００５】
このようなパチンコ機は、上述した遊技領域となる遊技盤や、遊技機の基本動作を行うための装置などが組み付けられる遊技機本体と、この遊技機本体の前方に配置され、遊技領域を視認するための窓を備えた前面扉とから構成されている。前面扉は、遊技機本体に対して回動自在に組み込まれており、通常は遊技盤を被覆する閉じ位置に保持され、例えば遊技領域内で発生した球詰まりを解消する時など遊技の際の不具合を解消する際に閉じ状態から開き状態へと回動されることになる。
【０００６】
このように、前面扉を遊技機本体に対して回動可能とする構成の場合、前面扉の回動動作を妨害しないように、遊技機本体、或いは遊技機本体に組み付けられた部材がその回動軌跡上に位置しないような形状となっている。このため、前面扉を閉じた場合には、前面扉と遊技機本体とに隙間が生じることになる。このような隙間が生じている場合には、この隙間からピアノ線や針金などを挿入し、始動チャッカに設けられた可動物や、アタッカの可動板を不正に開けた状態を作り出す、或いは遊技領域を流下するパチンコ球の流下軌跡を意図的に変化させる等の不正行為が行われ易いという欠点がある。
【０００７】
そこで、この隙間を利用した不正行為を防止する方法として、遊技機本体と前面扉との隙間を塞ぐように、前面扉の背面に複数の突条を設けることが提案されている（例えば、特許文献１参照）。このように複数の突条を設けることで、遊技機本体と前面扉との隙間を利用したピアノ線や針金などを遊技領域内へ侵入させるような不正行為を低減させることができる。
【特許文献１】特開２００５−１６８７１７号公報
【発明の開示】
【発明が解決しようとする課題】
【０００８】
しかしながら、特許文献１の遊技機では、遊技領域への侵入経路を複雑にしたに過ぎず、未だ、上述した不正行為が行われる恐れはある。また、当該行為が行われていることを店員などに知らせる機能を有しておらず、当該行為を摘発することはできない。
【０００９】
本発明は、上記課題を解決するためのものであり、遊技機本体と前面扉との隙間を利用した不正行為を防止し、且つ抑止する遊技機を提供することを目的とする。
【課題を解決するための手段】
【００１０】
上記目的を達成するために、本発明の遊技機は、遊技盤が組み付けられた遊技機本体と、この遊技機本体の前方に配置された前面扉とを有し、この前面扉が遊技機本体の前面を露呈する開き状態と、遊技機本体の前面に位置する閉じ状態との間で回動自在であり、閉じ状態にある前面扉と遊技機本体との間にはそれらの外側に露出する隙間が形成され、その隙間が遊技機本体の内部へと連通している遊技機であって、前面扉の背面又は遊技機本体の前面であって、且つ隙間に沿って軸着され、隙間を閉じる位置を初期位置とする遮蔽部を含む可動部材と、遮蔽部が初期位置となるように可動部材を保持する付勢部材と、遮蔽部が付勢部材の付勢に抗して回転したときに、可動部材の回転を検出する回転検出手段と、この回転検出手段によって可動部材の回転が検出されたときに、所定のエラー処理を行うエラー処理手段と、を備えたことを特徴とする。エラー処理として、光や音を出力することや、不正行為を知らせる電気信号をホストコンピュータに送信することなどが挙げられる。
【００１１】
なお、回転検出手段は、加圧されることで電荷を発生する圧電変換部を備えて構成され、回転検出手段は、回転する可動部材によって圧電変換部が押圧されることで生じる電荷を利用して、可動部材が回転したか否かを検出することが好ましい。
【００１２】
また、前面扉が閉じ状態、及び開き状態の少なくとも一方を検知する開閉検知手段と、この開閉検知手段からの検知信号を受けて、前面扉の状態を判定する状態判定手段と、この状態判定手段によって前面扉が開き状態であると判定された場合に、回転検出手段による可動部材の回転検出を無効にする無効手段と、を備えていることが好ましい。
【発明の効果】
【００１３】
遊技盤が組み付けられた遊技機本体と、この遊技機本体の前方に配置された前面扉とを有し、この前面扉が遊技機本体の前面を露呈する開き状態と、遊技機本体の前面に位置する閉じ状態との間で回動自在であり、閉じ状態にある前面扉と遊技機本体との間にはそれらの外側に露出する隙間が形成され、その隙間が遊技機本体の内部へと連通している遊技機であって、前面扉の背面又は遊技機本体の前面であって、且つ隙間に沿って軸着され、隙間を閉じる位置を初期位置とする遮蔽部を含む可動部材と、遮蔽部が初期位置となるように可動部材を保持する付勢部材と、遮蔽部が付勢部材の付勢に抗して回転したときに、可動部材の回転を検出する回転検出手段と、この回転検出手段によって可動部材の回転が検出されたときに、所定のエラー処理を行うエラー処理手段と、を備えたので、遊技機本体と前面扉との隙間にピアノ線などの異物が挿入された場合に、それを検知してエラー処理を行う。これにより、店員などは遊技機本体と前面扉との隙間にピアノ線などが挿入されたときに、その挿入されたことを知ることができ、遊技機本体と前面扉との隙間を利用した不正行為を防止することができる。
【００１４】
また、前面扉が閉じ状態、及び開き状態の少なくとも一方を検知する開閉検知手段と、この開閉検知手段からの検知信号を受けて、前面扉の状態を判定する状態判定手段と、この状態判定手段によって前面扉が開き状態であると判定された場合に、回転検出手段による可動部材の回転検出を無効にする無効手段と、を備えているので、例えば店員が前面扉を開けて作業をしているときに可動部材を回転させたとしても、それが遊技機本体と前面扉との隙間を利用した不正行為として検知されず、エラー処理をせずに済む。
【発明を実施するための最良の形態】
【００１５】
図１に示すように、パチンコ機（遊技機）１０は、基体となる本体部材（遊技機本体）１１に、上部扉１２と下部扉１３との２枚からなる前面扉１４が本体部材１１に対して回動自在となるように、ヒンジ部（図示せず）を介して組み付けられる。上部扉１２の中央には開口１２ａが設けられ、この開口１２ａの上方には音声を発するスピーカ５１や光を発するランプ５２が設けられている。開口１２ａは、上部扉１２の裏側に組み付けられたガラス１５等の透明性を有する部材により遮蔽される。上部扉１２が閉じている状態では、遊技領域１６に設けられた障害釘（図示せず）、風車（図示せず）、及びセンター役物１７等の構造物や、入賞チャッカ１８、始動チャッカ１９、及びアタッカ２０等の入賞装置は、上記開口１２ａを遮蔽するガラス１５を介して視認される。また、遊技領域１６の最下部にはアウト口２１が設けられている。アウト口２１は、入賞装置に入賞しなかったパチンコ球を回収する。なお、本体部材１１は、パチンコ機１０をパチンコ店等の遊技場に固定するための固定枠２２に覆われている。
【００１６】
センター役物１７の略中央には、図柄表示装置２３が配設される。この図柄表示装置２３は、始動チャッカ１９にパチンコ球が入賞した場合に図柄の可変表示が開始され、所定の可変表示の後に図柄の停止表示を行うことで、「大当たり」状態に移行するか否かの抽選を遊技者に報知する。
【００１７】
アタッカ２０は、「大当たり」状態に移行すると開放される可動入賞装置である。このアタッカ２０が開放されると、例えば３０秒経過の後、或いはアタッカ２０の内部に設けられた入賞領域（図示せず）に例えば１０個のパチンコ球が入賞することによってアタッカ２０の開放が終了する。本実施形態では、アタッカ２０が開放されてから閉じるまでの期間を１ラウンドとして説明する。そして、アタッカ２０の開放時に、例えば１０個の遊技球が上述した入賞領域に入賞することによって継続条件が満足され、一旦アタッカ２０が閉じた後に、再度開放される。この「大当たり」状態中のラウンド数は、例えば１５ラウンドを上限として設定されている。最大でも１５ラウンドが終了すると、「大当たり」状態が終了する。なお、継続条件を、入賞領域にパチンコ球が１０個入賞することとしたが、これに限定する必要はなく、例えば入賞領域に継続入賞領域を設け、この継続入賞領域にパチンコ球が入賞することを継続条件としても良い。
【００１８】
下部扉１３には、供給皿２５、操作ハンドル２６が設けられている。供給皿２５には、遊技を開始する際にパチンコ球が供給される他に、遊技領域１６を流下するパチンコ球が、遊技領域１６に設けられた入賞装置のいずれかに入賞したことを受けて払い出される賞球としてのパチンコ球が受容される。操作ハンドル２６は遊技を行う際に操作され、この操作ハンドル２６の操作を受けて内部に設けられた打出し用ボリューム（図示せず）の出力値が変化することによって、発射装置（図示省略）によるパチンコ球の打出し強さが変化する。なお、操作ハンドル２６を操作しない場合には、操作ハンドル２６は、発射装置におけるパチンコ球の打出しを行わない初期位置に位置する。なお、供給皿２５内には、払出し口２７が設けられている。この払出し口２７を介して供給皿２５に賞球としてのパチンコ球や、貸し球としてのパチンコ球が払い出される。
【００１９】
ところで、詳しくは図２に示すように、上部扉１２は、その正面から見て左側の端縁近傍を回動軸（図示せず）として本体部材１１に対して回動自在となっている。上部扉１２の回動動作により、上部扉１２と、本体部材１１或いは固定枠２２とが干渉しないよう、パチンコ機１０の回動軸側の側面には、隙間２８が生じている。本発明のパチンコ機１０には、その隙間２８からピアノ線や針金などを挿入し、始動チャッカ１９に設けられた可動物や、アタッカ２０の可動板を不正に開けた状態を作り出す、或いは遊技領域１６を流下するパチンコ球の流下軌跡を意図的に変化させる等の不正行為が行われないよう工夫がなされている。
【００２０】
上部扉１２の背面には、上述した隙間２８に沿って不正挿入検出装置２９が設けられている。その不正挿入検出装置２９は、図３に示すように、支持部材３０、可動部材３１、コイルスプリング３２、及び圧電板（圧電変換部）３３から構成される。支持部材３０は、略コ字型の断面が上下方向に連続する略柱形状をしており、その上端部及び下端部には、上下方向に沿って軸支突起３０ａ、３０ｂが形成されている。可動部材３１は、例えば矩形の板状部材の長辺である両端縁をそれぞれ異なる方向に略９０度ずつ折り曲げることで形成されており、略Ｓ字型の断面が上下方向に連続する略柱形状をしている。可動部材３１は、その上端部及び下端部に軸受け孔３１ａ、３１ｂが設けられており、その軸受け孔３１ａ、３１ｂを軸支突起３０ａ、３０ｂに嵌合させることで支持部材３０に取り付けられる。
【００２１】
図４に示すように、可動部材３１は、両脇の端片３１ｃ、３１ｄが支持部材３０の両側の端片３０ｃ、３０ｄと平行であり、且つ端片３１ｃと３１ｄとの間の基礎片３１ｅが支持部材３０のコ型溝の奥側の基礎片３０ｅと平行である位置を初期位置とする。コイルスプリング３２は、支持部材３０の基礎片３０ｅと可動部材３１の基礎片３１ｅとの間に設けられ、可動部材３１を初期位置に保持する。このとき、可動部材３１の端片３１ｃは、隙間２８を閉じるように配されている。圧電板（圧電変換部）３３は、初期位置に配置された可動部材３１の端片３１ｄの先端と、支持部材３０の基礎片３０ｅとの間に位置するように、支持部材３０に取り付けられている。この圧電板３３は、歪みが生じることによって、その歪み量に比例して電荷を発生する。
【００２２】
可動部材３１は、図５に示すように、例えば隙間２８からピアノ線３７などが挿入され、そのピアノ線３７が可動部材３１の端片３１ｃに当接し、端片３１ｃが押圧されると、可動部材３１はコイルスプリング３２の付勢に抗して図中における時計回り（Ａ方向）に回転される。この回転により、可動部材３１のもう一方の端片３１ｄの先端は圧電板３３に当接し、圧電板３３は押圧される。なお、不正挿入検知装置２９を構成する部品３０〜３３は、上部扉１２が図４に示す閉じられた状態から図６に示す開かれた状態まで回動しても、本体部材１１或いは固定枠２２と干渉することはないように上部扉１２に配置されている。
【００２３】
図３に示すように、圧電板３３には電気容量検出部３４が接続されている。その電気容量検出部３４は、圧電板３３から所定値以上の電荷が検出されたときに電荷検出信号を発する。一方、本体部材１１の前面には、開閉検出部３６（図２においては省略）が設けられている。その開閉検出部３６は、上部扉１２が開いているときにその開放状態を検知し、開放検知信号を発する。電気容量検出部３４と開閉検出部３６とには、それぞれ、制御回路３５が接続されている。制御回路３５は、スピーカ５１やランプ５２が接続されており、電気容量検出部３４から電荷検出信号を受信したときや、開閉検出部３６から開放検知信号を受信して上部扉１２が開いていると判定したときに、スピーカ５１から警告音を発させたり、ランプ５２を点灯或いは点滅させたりする。スピーカ５１の警告音やランプ５２の点灯或いは点滅方法は、制御回路３５が受信する信号の種類によって異なるように設定されている。また、制御回路３５は、複数の信号を受信した場合は、最初に受信した信号のみを有効と判断するように設定されている。
【００２４】
以下、上記構成のパチンコ機１０の作用について図７及び図８を参照しながら説明する。図７に示すように、上部扉１２が閉じられた状態において、隙間２８からピアノ線３７が挿入され、そのピアノ線３７が可動部材３１の端片３１ｃに当接し、端片３１ｃが押圧されると、可動部材３１はコイルスプリング３２の付勢に抗して図中における時計回り（Ａ方向）に回転される。この回転により、可動部材３１のもう一方の端片３１ｄの先端は圧電板３３に当接し、圧電板３３は押圧される（図５参照）。押圧された圧電板３３は歪みを生じ、電荷を発生する。電気容量検出部３４は、圧電板３３から所定量以上の電荷を検出し、電荷検出信号を発する。制御回路３５は、電荷検出信号を受信して、スピーカ５１から警告音を発させたり、ランプ５２を点灯或いは点滅させたりする。このように、隙間２８からピアノ線３７や針金などが挿入されたときに、その挿入されたことを外部に知らせることができるので、隙間２８を利用した不正行為を防止し、且つ抑止することができる。なお、圧電板３３が地震などにより振動して歪みを生じて電荷が発生しても、その電荷は僅かであり、電気容量検出部３４は電荷検出信号を発することはなく、制御回路３５はスピーカ５１から警告音を発させたり、ランプ５２を点灯或いは点滅させたりすることはない。
【００２５】
電荷検出信号に基づいてスピーカ５１やランプ５２が作動しているときに上部扉１２が開かれると、開閉検出部３６は、開放検知信号を発する。制御回路３５は、開放検知信号を受信するが、最初に受信した電荷検出信号のみを有効と判断し、後に受信した開放検知信号を無効と判断する。このように、上部扉１２が開かれたからといって、スピーカ５１の警告音やランプ５２の点灯或いは点滅方法が変更されることはなく、引き続き、隙間２８を利用した不正行為を外部に知らせることができる。
【００２６】
また、図８に示すように、隙間２８を利用した不正行為が行われていない場合において、上部扉１２が開かれると、開閉検出部３６は、開放検知信号を発する。制御回路３５は、開放検知信号を受信して上部扉１２が開いていると判定し、スピーカ５１から警告音を発させたり、ランプ５２を点灯或いは点滅させたりする。このように、上部扉１２が開放されたときに、その開放を外部に知らせることができるので、例えば、上部扉１２を開放して内部機器を不正に操作する行為を防止し、且つ抑止することができる。
【００２７】
開放検知信号に基づいてスピーカ５１やランプ５２が作動しているときに可動部材３１が回転され、圧電板３３が押圧されると、電気容量検出部３４は、電荷検出信号を発する。制御回路３５は、電荷検出信号を受信するが、最初に受信した開放検知信号のみを有効と判断し、後に受信した電荷検出信号を無効と判断する。このように、可動部材３１が回転されたからといって、スピーカ５１の警告音やランプ５２の点灯或いは点滅方法が変更されることはない。つまり、例えば店員が上部扉１２を開けて作業をしているときに可動部材３１を回転させたとしても、上部扉１２の開放を知らせるためにスピーカ５１から警告音が発されたり、ランプ５２が点灯或いは点滅したりするものの、隙間２８を利用した不正行為と判断されてスピーカ５１から警告音が発されたり、ランプ５２が点灯或いは点滅したりすることはない。
【００２８】
なお、上記実施形態において、不正挿入検知装置２９は、上部扉１２の背面に設けられている場合を例に説明したが、これに限定されるのではなく、本体部材１１の前面に設けられていても良い。
【００２９】
また、上記実施形態において、不正挿入検知装置２９は、パチンコ機１０における上部扉１２の回動軸側に設けられている場合を例に説明したが、これに限定されるのではなく、上部扉１２や下部扉１３の外周に沿うように複数箇所に設けられていても良い。
【００３０】
また、上記実施形態において、制御回路３５には電気容量検出部３４と開閉検出部３６とが接続され、制御回路３５は、開閉検出部３６から開放検知信号を受信したときには、その後に電気容量検出部３４から電荷検出信号を受信しても、その電荷検出信号を無効とする場合を例に説明したが、これに限定されるのではなく、制御回路３５には、上部扉１２の開閉によりオンオフが切り替わる開閉スイッチが接続され、且つその開閉スイッチを介して電気容量検出部３４が接続されていても良い。この場合、上部扉１２が開いているときには開閉スイッチはオフになり、制御回路３５と電気容量検出部３４とは絶縁され、制御回路３５は電荷検出信号を受信することはない。
【００３１】
また、上記実施形態において、不正挿入検知装置２９の構成として圧電板３３が用いられている場合を例に説明したが、これに限定されるのではなく、その他の圧電素子を用いても良い。また、例えば、マイクロスイッチや光センサーなどを用いても良い。
【００３２】
また、上記実施形態において、開閉検出部３６は、上部扉１２の開放を検知して開放検知信号を発する場合を例に説明したが、これに限定されるのではなく、開閉検出部３６は、上部扉１２の閉鎖を検知して閉鎖検知信号を発するのでも良い。この場合、制御回路３５は、開閉検出部３６から閉鎖検知信号を受信しないときに上部扉１２が開いていると判定し、スピーカ５１やランプ５２を作動させる。
【００３３】
また、上記実施形態において、パチンコ機１０の場合を例に説明したが、これに限定されるのではなく、パチスロ機、その他の遊技機にも応用可能である。
【図面の簡単な説明】
【００３４】
【図１】パチンコ機の外観斜視図である。
【図２】パチンコ機の縦断面図である。
【図３】不正挿入検知装置の一部破断分解斜視図及びそれに接続される構成を示すブロック図である。
【図４】可動部材が初期状態のときの図２に示す領域Ｘの拡大図である。
【図５】可動部材が回転された状態のときの図２に示す領域Ｘの拡大図である。
【図６】上部扉が開かれた状態のときの図２に示す領域Ｘの拡大図である。
【図７】不正を検知してスピーカやランプを作動させる手順を示すフローチャートである。
【図８】上部扉の開放を検知してスピーカやランプを作動させる手順を示すフローチャートである。
【符号の説明】
【００３５】
１０  パチンコ機
１１  本体部材
１２  上部扉
１３  下部扉
１４  前面扉
１６  遊技領域
２８  隙間
２９  不正挿入検知装置
３１  可動部材
３２  コイルスプリング
３３  圧電板
３４  電気容量検出部
３５  制御回路
３６  開閉検出部
３７  ピアノ線
【図１】
2008000308.tif 000003
【図２】
2008000308.tif 000004
【図３】
2008000308.tif 000005
【図４】
2008000308.tif 000006
【図５】
2008000308.tif 000007
【図６】
2008000308.tif 000008
【図７】
2008000308.tif 000009
【図８】
2008000308.tif 000010